(57)【要約】【課題】楽器本体へのスタンドの取付けおよび取外しを簡単かつ迅速に行うことができる鍵盤楽器のスタンド取付構造を提供する。【解決手段】スタンド本体１３、１３の各々の上端部に突設された係合ピン１５と、スタンド本体１３、１３の各々の上端部に取り付けられたスタンド取付部１８と、このスタンド取付部１８から側方に延び、上下方向に貫通する取付孔１９ａを有しかつピアノ本体２が載置されるピアノ本体取付部１９とを有する取付金具１６と、ピアノ本体２の底面の左右端部にそれぞれ設けられ、係合ピン１５に左右方向に移動不能な状態で係合する係合凹部１２と、ピアノ本体２の底面の左右端部にそれぞれ設けられ、取付金具１６の取付孔１９ａに対応する位置に配置された取付ナット１１と、取付金具１６の本体取付部１９の下方から取付孔１９ａに挿入されるとともに、取付ナット１１にねじ込まれた取付ねじ２０と、を備えている。【選択図】　　図１
2004102176.tif 000002
【特許請求の範囲】
【請求項１】
左右一対の側板を有するスタンドを楽器本体の底面に取り付けるための鍵盤楽器のスタンド取付構造であって、
前記左右一対の側板の各々の上端部に、上方に突出するように設けられた突出部と、
前記左右一対の側板の各々の上端部の、前記突出部と前後方向に異なる位置に取り付けられた側板取付部と、この側板取付部から側方に延び、上下方向に貫通する取付孔を有しかつ前記楽器本体が載置される本体取付部とを有する取付金具と、
前記楽器本体の底面の左右端部にそれぞれ設けられ、前記突出部に左右方向に移動不能な状態で係合する係合凹部と、
前記楽器本体の底面の左右端部にそれぞれ設けられ、前記取付金具の前記取付孔に対応する位置に配置された雌ねじと、
前記取付金具の前記本体取付部の下方から前記取付孔に挿入されるとともに、前記雌ねじにねじ込まれた雄ねじと、
を備えていることを特徴とする鍵盤楽器のスタンド取付構造。
【請求項２】
前記突出部は、下部が前記左右一対の側板の各々の上面に固定されたピンであることを特徴とする請求項１に記載の鍵盤楽器のスタンド取付構造。
【請求項３】
前記係合凹部は、前後方向に延びるように形成されていることを特徴とする請求項１または２に記載の鍵盤楽器のスタンド取付構造。
【請求項４】
前記係合凹部は、内方に向かって狭まるテーパ状に形成されていることを特徴とする請求項３に記載の鍵盤楽器のスタンド取付構造。
【請求項５】
前記雄ねじは、前記雌ねじに螺合するねじ部と、このねじ部の一端部に固定され、手で回転操作可能に構成された頭部と、を有していることを特徴とする請求項１ないし４のいずれかに記載の鍵盤楽器のスタンド取付構造。
【発明の詳細な説明】
【０００１】
【発明の属する技術分野】
本発明は、例えば電子ピアノなどに適用され、楽器本体の底面にスタンドを取り付けるための鍵盤楽器のスタンド取付構造に関する。
【０００２】
【従来の技術】
従来、この種の鍵盤楽器のスタンド取付構造として、例えば、本出願人が既に出願した特開２００２−２２１９６２号に記載のものが知られている。このスタンド取付構造では、スタンドおよび楽器本体がそれぞれ次のように構成されている。すなわち、スタンドは、互いに左右方向に所定間隔を隔てて設けられた左右一対の側板を有しており、各側板の内側上端部には、互いに前後方向に所定間隔を隔てて、前後一対の取付金具が取り付けられている。つまり、このスタンドには、合計４つの取付金具が取り付けられている。各取付金具は、所定形状の金属板を適宜屈曲して、ほぼＬ字状に形成したものであり、側板にねじ止めされた縦長の側板固定部と、その上端から屈曲して水平に延び、雌ねじを有する棚板固定部とで構成されている。一方、楽器本体は、その底部に棚板を有しており、この棚板の左右端部にはそれぞれ、前後方向に互いに若干離れた矩形および円形の２つの貫通孔を有する２組の取付孔が、前後方向に互いに間隔を隔てて設けられている。つまり、棚板には、合計４組の取付孔が設けられている。
【０００３】
上記のような楽器本体へのスタンドの取付けは、次のようにして行われる。すなわち、まず、スタンドを床などの水平な場所に設置する。次いで、そのスタンドに、楽器本体を上方から近づけ、スタンド上端部の４つの取付金具を、棚板の下方から、４組の取付孔の矩形の貫通孔にそれぞれ挿入させるとともに、楽器本体をスタンド上に載置する。この場合、各取付金具の棚板固定部は、棚板の上面よりも若干上側に位置する。その後、楽器本体をスタンドに対して前方へ若干スライドさせ、各取付金具の雌ねじを、棚板の各取付孔の円形の貫通孔に合致させる。そして、４本の雄ねじをそれぞれ、棚板の下方から、各取付孔の円形の貫通孔に挿入するとともに、ドライバーなどの工具を用いて、各取付金具の雌ねじにねじ込む。これにより、楽器本体へのスタンドの取付けが完了する。なお、楽器本体からスタンドを取り外す場合には、４本の雄ねじを工具で取り外した後、上記と逆の手順でスタンドを取り外す。
【０００４】
【発明が解決しようとする課題】
上記のスタンド取付構造では、楽器本体へのスタンドの取付時に、４本の雄ねじをそれぞれ、楽器本体の棚板の下方から取付孔に挿入し、工具を用いてねじ止めしなければならず、そのねじ止め作業が煩雑である。また、４つの取付金具の雌ねじと、棚板の４つの取付孔の円形の貫通孔とを同時に合致させやすくするために、通常、棚板の各円形の貫通孔は、雄ねじの軸部の直径よりも大きく形成されている。これにより、各雄ねじを雌ねじに完全にねじ込む前の仮止めした状態では、楽器本体にはスタンドに対し若干の遊びが生じる。そのため、スタンドの取付時には、楽器本体およびスタンドの互いの適正な取付位置に対し、両者が相対的に前後左右にずれやすく、そのずれの解消に手間がかかってしまうことがある。以上のような点において、上記スタンド取付構造には改善の余地がある。
【０００５】
本発明は、以上のような課題を解決するためになされたものであり、楽器本体へのスタンドの取付けおよび取外しを簡単かつ迅速に行うことができる鍵盤楽器のスタンド取付構造を提供することを目的とする。
【０００６】
【課題を解決するための手段】
本発明の請求項１に係る鍵盤楽器のスタンド取付構造は、左右一対の側板を有するスタンドを楽器本体の底面に取り付けるための鍵盤楽器のスタンド取付構造であって、左右一対の側板の各々の上端部に、上方に突出するように設けられた突出部と、左右一対の側板の各々の上端部の、突出部と前後方向に異なる位置に取り付けられた側板取付部と、この側板取付部から側方に延び、上下方向に貫通する取付孔を有しかつ楽器本体が載置される本体取付部とを有する取付金具と、楽器本体の底面の左右端部にそれぞれ設けられ、突出部に左右方向に移動不能な状態で係合する係合凹部と、楽器本体の底面の左右端部にそれぞれ設けられ、取付金具の取付孔に対応する位置に配置された雌ねじと、取付金具の本体取付部の下方から取付孔に挿入されるとともに、雌ねじにねじ込まれた雄ねじと、を備えていることを特徴とする。
【０００７】
この構成によれば、楽器本体にスタンドを取り付ける場合にはまず、楽器本体底面の左右端部の係合凹部に、スタンドの左右の側板上端部の突出部をそれぞれ挿入させるとともに、楽器本体底面の左右端部の雌ねじを、スタンドの左右の取付金具の取付孔にそれぞれ合致させるように、楽器本体にスタンドを組み付ける。そして、左右２つの取付金具の本体取付部の下方から、２本の雄ねじをそれぞれ取付孔に挿入するとともに、楽器本体底面の雌ねじにねじ込む。これにより、楽器本体へのスタンドの取付けが完了する。上記構成のスタンド取付構造では、楽器本体側の左右の係合凹部がそれぞれ、スタンド側の左右の突出部に左右方向に移動不能な状態で係合するので、それらの突出部を係合凹部に挿入させるだけで、楽器本体とスタンドとの左右方向の位置決めを簡単かつ適正に行うことができる。また、楽器本体へのスタンドの取付けの際には、雄ねじを２本だけねじ込めばよいので、４本の雄ねじのねじ込みが必要な従来のスタンド取付構造に比べて、楽器本体へのスタンドの取付けおよび取外しを簡単かつ迅速に行うことができる。
【０００８】
本発明の請求項２に係る発明は、請求項１の鍵盤楽器のスタンド取付構造において、突出部は、下部が左右一対の側板の各々の上面に固定されたピンであることを特徴とする。
【０００９】
この構成によれば、突出部をピンで構成することにより、その突出部をスタンドの各側板の上端部に、上方に突出するように簡単に設けることができる。例えば、ピンの下部を、各側板の上面に形成した穴に埋設することなどによって、そのピンを各側板の上面に簡単に固定することができる。
【００１０】
本発明の請求項３に係る発明は、請求項１または２の鍵盤楽器のスタンド取付構造において、係合凹部は、前後方向に延びるように形成されていることを特徴とする。
【００１１】
この構成によれば、係合凹部が前後方向に延びているので、楽器本体にスタンドを取り付けた際の前後方向の相対的な位置関係のずれ、具体的には楽器本体側の係合凹部と雌ねじとの距離、およびスタンド側の突出部と取付金具の取付孔との距離についての製造上の不可避的な誤差を吸収することができる。したがって、楽器本体にスタンドを取り付ける際には、楽器本体とスタンドとを相対的に前後方向にスライドさせるだけで、楽器本体側の雌ねじとスタンド側の取付金具の取付孔とを簡単かつ迅速に合致させることができる。
【００１２】
本発明の請求項４に係る発明は、請求項３の鍵盤楽器のスタンド取付構造において、係合凹部は、内方に向かって狭まるテーパ状に形成されていることを特徴とする。
【００１３】
この構成によれば、楽器本体へのスタンドの取付けの際に、スタンド側の突出部を楽器本体側の係合凹部に容易に挿入することができる。
【００１４】
本発明の請求項５に係る発明は、請求項１ないし４の鍵盤楽器のスタンド取付構造において、雄ねじは、雌ねじに螺合するねじ部と、このねじ部の一端部に固定され、手で回転操作可能に構成された頭部と、を有していることを特徴とする。
【００１５】
この構成によれば、雄ねじの頭部が手で回転操作可能であるので、ドライバーなどの工具を使用することなく、雄ねじを、楽器本体底面の雌ねじにねじ込んだり、その雌ねじから取り外したりすることができる。その結果、楽器本体へのスタンドの取付けおよび取外しを、より一層簡単に行うことができる。
【００１６】
【発明の実施の形態】
以下、図面を参照しながら、本発明の好ましい実施形態を詳細に説明する。図１および２は、本発明の一実施形態による鍵盤楽器のスタンド取付構造を適用した電子ピアノを示しており、図３は、図１（ａ）の一点鎖線円内の一部断面図である。これらの図に示すように、この電子ピアノ１（鍵盤楽器）は、ピアノ本体２（楽器本体）と、これを下方から支持するスタンド３とを備えている。スタンド３は、後述するように、ピアノ本体２の下面の左右両端部に着脱自在に取り付けられており、したがって、この電子ピアノ１は、ピアノ本体２をスタンド３から取り外して持ち運べるポータブルタイプのものである。なお、この電子ピアノ１では、前述したように、ピアノ本体２の下面の左右両端部で、スタンド３が取り付けられており、それらの取付構造は互いに左右対称であるので、以下の説明では、右側の取付構造を中心に説明する。
【００１７】
ピアノ本体２は、その底面を構成する棚板４、左右一対の腕木５、５および上ケース部６などにより、外殻のケースが構成されている。ピアノ本体２の前半部には、白鍵７ａおよび黒鍵７ｂによる多数の鍵盤７が左右方向に並んで配置され、後半部の上ケース部６上には、各種のスイッチ８ａなどを有するコントロールパネル８が設けられている。
【００１８】
棚板４の左右両端部の所定位置にはそれぞれ、図３に示すように、後述する取付ねじ２０がねじ込まれる取付ナット１１、１１（雌ねじ）が取り付けられている。各取付ナット１１は、外周面に抜止め用の複数の突起を有するいわゆる鬼目ナットであり、棚板４に上方から埋設された状態で取り付けられている。また、各腕木５は、左右方向に所定の厚さを有し、その上部が前下がりに若干傾斜するとともに、下部の前端部が前上がりに若干傾斜するように形成されている。また、この腕木５の下部前端部には、図３に示すように、後述する係合ピン１５に係合する係合凹部１２が形成されている。この係合凹部１２は、下方に開口し、係合ピン１５を上方から覆える深さを有している。また、係合凹部１２は、図３（ｂ）に示すように、前後方向に延びるとともに、左右方向の幅が、同図（ａ）に示すように、係合ピン１５の直径とほぼ同じに形成されている。これにより、係合凹部１２は、係合ピン１５に対し左右方向に移動不能な状態で係合する。さらに、係合凹部１２は、その下部の開口周縁部１２ａが外方に向かって広がるように、逆にいうと、内方に向かって狭まるテーパ状に形成されている。
【００１９】
一方、スタンド３は、図１に示すように、互いに左右方向に所定間隔を隔てて配置された左右一対のスタンド本体１３、１３（側板）と、左右方向に延び、左右のスタンド本体１３、１３の上部間に取り付けられた横木部材１４とを一体に組み立てたものである。各スタンド本体１３は、上下方向に延び、側面形状がほぼ「く」の字状に形成された前脚部１３ａと、上下方向に延び、側面形状が平行四辺形に形成された後脚部１３ｂとで構成されており、これら両脚部１３ａ、１３ｂは、上半部同士が互いに接合されている。また、後脚部１３ｂの上面は、水平に構成されているのに対し、前脚部１３ａの上面は、前上がりに若干傾斜するように構成されている。さらに、前脚部１３ａおよび後脚部１３ｂの上端部にはそれぞれ、上記係合ピン１５および取付金具１６が取り付けられている。
【００２０】
係合ピン１５（ピン）は、所定の直径および長さを有する金属棒からなり、その下部が前脚部１３ａの上端部に埋設された状態で固定され、前脚部１３ａの上面の所定位置から上方に所定長さ突出している。一方、取付金具１６は、いわゆるＬ形金具であり、上下方向に延び、後脚部１３ｂの内側面の所定位置に２本のねじ１７、１７で固定されたスタンド取付部１８（側板取付部）と、このスタンド取付部１８の上端から内方（図３（ａ）では左方）に水平に延び、ピアノ本体２の下面、具体的には棚板４の下面にねじ止めされるピアノ本体取付部１９（本体取付部）とで構成されている。そして、この取付金具１６のピアノ本体取付部１９には、上下方向に貫通するばか孔の取付孔１９ａが形成されている。そして、ピアノ本体２へのスタンド３の取付けの際には、取付ねじ２０が、取付金具１６の取付孔１９ａに挿入された状態で、上記取付ナット１１にねじ込まれる。
【００２１】
取付ねじ２０は、取付ナット１１に螺合するねじ部２０ａと、その一端部に固定された頭部２０ｂとで構成されている。この頭部２０ｂは、比較的大きな直径および厚さを有しており、ピアノ本体２へのスタンド３の取付けおよび取外し作業の際に、作業者が手で掴んだ状態で回転操作できるように構成されている。
【００２２】
次に、上記のように構成された電子ピアノ１において、ピアノ本体２へのスタンド３の取付手順について簡単に説明する。まず、スタンド３を、図１（ｂ）に示すように、床などの水平な場所に立てた状態で設置する。次いで、そのスタンド３上にピアノ本体２を載置する。この場合、スタンド３の左右の係合ピン１５、１５をそれぞれ、ピアノ本体２の左右の係合凹部１２、１２に挿入させながら、ピアノ本体２を載置する。そして、ピアノ本体２を前後方向に若干スライドさせながら、ピアノ本体２の左右の取付ナット１１、１１をそれぞれ、スタンド３の左右の取付金具１６、１６の取付孔１９ａ、１９ａに合致させる。その後、取付ねじ２０の頭部２０ｂを手で掴み、ねじ部２０ａを、取付孔１９ａに挿入し、頭部２０ｂを手で回しながら、取付ねじ２０を取付ナット１１にねじ込む。以上により、ピアノ本体２へのスタンド３の取付作業が完了する。なお、ピアノ本体２からスタンド３を取り外す場合には、左右の取付ねじ２０、２０を取付ナット１１、１１から取り外した後、ピアノ本体２を持ち上げることで、スタンド３が取り外される。
【００２３】
以上詳述したように、本実施形態のスタンド取付構造によれば、ピアノ本体２側の左右の係合凹部１２、１２がそれぞれ、スタンド３側の左右の係合ピン１５、１５に左右方向に移動不能な状態で係合するので、それらの係合ピン１５、１５を係合凹部１２、１２に挿入させるだけで、ピアノ本体２とスタンド３との左右方向の位置決めを簡単かつ適正に行うことができる。また、ピアノ本体２へのスタンド３の取付けの際には、取付ねじ２０を２本だけねじ込めばよいので、４本のねじをドライバーなどの工具でねじ込まなければならない従来のスタンド取付構造に比べて、ピアノ本体２へのスタンド３の取付けおよび取外しを簡単かつ迅速に行うことができる。
【００２４】
また、ピアノ本体２にスタンド３を取り付けたときには、係合ピン１５、１５が係合凹部１２、１２に覆われるので、電子ピアノ１では、係合ピン１５が外部から見えることなく、電子ピアノ１の外観を見栄え良くすることができる。さらに、各係合凹部１２は、前後方向に延びているので、ピアノ本体２にスタンド３を取り付けた際の前後方向の相対的な位置関係のずれ、具体的には、ピアノ本体２側の係合凹部１２と取付ナット１１との距離、およびスタンド３側の係合ピン１５と取付金具１６の取付孔１９ａとの距離についての製造上の不可避的な誤差を吸収することができる。したがって、ピアノ本体２にスタンド３を取り付ける際には、ピアノ本体２とスタンド３とを相対的に前後方向にスライドさせるだけで、ピアノ本体２側の取付ナット１１とスタンド３側の取付金具１６の取付孔１９ａとを簡単かつ迅速に合致させることができる。
【００２５】
なお、本発明は、説明した上記実施形態に限定されることなく、種々の態様で実施することができる。例えば、実施形態では、金属製の係合ピン１５を使用したが、これに限らず、スタンド本体１３の上面から上方に突出し、ピアノ本体２の係合凹部１２が左右方向に移動不能な状態で係合可能なものであれば、どのようなものであってもよい。また、取付ねじ２０は、作業者が自身の手で回転操作可能なものであれば、どのようなねじであってもよい。さらに、実施形態で示したピアノ本体２およびスタンド３の細部の構成などは、あくまで例示であり、本発明の趣旨の範囲内で適宜、変更することができる。
【００２６】
【発明の効果】
以上詳述したように、本発明の鍵盤楽器のスタンド取付構造は、楽器本体へのスタンドの取付けおよび取外しを簡単かつ迅速に行うことができるなどの効果を有する。
【図面の簡単な説明】
【図１】本発明の一実施形態によるスタンド取付構造を適用した電子ピアノを示す斜視図であり、（ａ）は、ピアノ本体にスタンドを取り付けた状態を示し、（ｂ）は、ピアノ本体からスタンドを取り外した状態を示す。
【図２】図１（ａ）および（ｂ）にそれぞれ対応し、電子ピアノを右斜め上から見た状態を示す図である。
【図３】図１（ａ）の一点鎖線で示す部分の取付金具および係合ピンの付近を示す断面図であり、（ａ）は正面図、（ｂ）は（ａ）のＡ−Ａ線で切断するとともに係合ピンの付近を一部切断した図である。
【符号の説明】
１　　　電子ピアノ（鍵盤楽器）
２　　　ピアノ本体（楽器本体）
３　　　スタンド
１１　　取付ナット（雌ねじ）
１２　　係合凹部
１２ａ　開口周縁部
１３　　スタンド本体
１５　　係合ピン（ピン）
１６　　取付金具
１８　　スタンド取付部（側板取付部）
１９　　ピアノ本体取付部（本体取付部）
１９ａ　取付孔
２０　　取付ねじ
２０ａ　ねじ部
２０ｂ　頭部
【図１】
2004102176.tif 000003
【図２】
2004102176.tif 000004
【図３】
2004102176.tif 000005